(57)【特許請求の範囲】
【請求項１】
受付フロントおよび客室を有する宿泊施設に設置され、宿泊者の入室を演出するための予め設定された入室演出映像を前記宿泊者に表示する宿泊施設の客室における入室演出システムであって、
宿泊施設の受付フロントに配置され、入室演出システムを稼動状態とする受付スイッチと、
前記客室への人の入室を検知する入室検知手段と、
前記客室内に配置され、所定角度をなして隣接配置された２面の壁面に設定された２面の投影面と、
前記投影面にそれぞれ前記入室演出映像を投影するプロジェクターと、
前記プロジェクターに前記入室演出映像の映像信号を送出する映像出力装置と、
前記客室の照明の照度を調整する調光装置と、
前記受付スイッチ、前記入室検知手段、前記プロジェクター、前記映像出力装置、および前記調光装置に接続され、前記受付スイッチがオン状態にされた後であって、前記入室検知手段が入室を検知したとき、前記調光装置を制御して客室内の照明を調整することで客室内を所定の照度にすると共に、前記映像出力装置および前記プロジェクターを起動して、前記プロジェクターから前記投影面に前記入室演出映像を投影させる制御装置と、
を備えることを特徴とする宿泊施設の客室内における入室演出システム。
【請求項２】
前記入室検知手段の入室検知位置から視認可能な位置に配置された入口部スクリーンを備え、
前記制御装置には、前記入口部スクリーンに入室演出映像を投影するプロジェクターを接続したことを特徴とする請求項１に記載の宿泊施設の客室内における入室演出システム。
【請求項３】
前記映像出力装置は、前記入室演出映像に伴う音声信号を出力し、前記客室には、前記音声信号に基づいて音声を出力するスピーカーを備えることを特徴とする請求項１または請求項２に記載の宿泊施設の客室内における入室演出システム。
【請求項４】
前記制御装置は、前記入室検知手段の状態にかかわらず前記入室演出映像を投影する強制投影状態に設定可能であり、
前記客室内には、前記制御装置に接続され、前記制御装置を前記強制投影状態とするリプレイスイッチを備えることを特徴とする請求項１から請求項３のいずれか一項に記載の宿泊施設の客室内における入室演出システム。
【請求項５】
前記壁面にはスクリーン部材を配置して前記投影面を形成したことを特徴とする請求項１から請求項４のいずれか一項に記載の宿泊施設の客室内における入室演出システム。
【請求項６】
前記入口部スクリーンはガラス板に、映像の非投影時に透明であり、投影時に投影された映像を表示可能なスクリーン部材を貼り付けて構成したことを特徴とする請求項２に記載の宿泊施設の客室内における入室演出システム。
【請求項７】
前記映像出力装置は、前記プロジェクターに投影対象の位置、形状に適合する映像信号を出力することを特徴とする請求項１から請求項６のいずれか一項に記載の宿泊施設の客室内における入室演出システム。
【発明の詳細な説明】
【技術分野】
【０００１】
本発明は、受付フロントおよび客室を有する宿泊施設に設置され、宿泊者の入室を演出する予め設定された入室演出映像を前記宿泊者に表示する宿泊施設の客室における入室演出システムに関する。
【背景技術】
【０００２】
従来、ホテル、旅館等の宿泊施設においては、ロビーでの出迎え、ショー等により宿泊客を歓待する演出が行われる。これにより、宿泊者に好印象や満足感を与え、宿泊客の再来訪、ブログ、ＳＮＳ等へ投稿によって当該宿泊施設情報の拡散、マスコミの取材等が期待できる。
【０００３】
しかし、宿泊施設によってはロビーでの演出ができなかったり、ロビーでの演出がふさわしくなかったりすることがある。このような場合、客室において歓迎の演出を行うことが効果的であると考えられることがある。
【０００４】
客室における演出としては、客室内に設置したテレビやスクリーンに映像を上映しつつ音楽や音声を再生することができる。従来、客室内の演出に使用することができる技術として以下のものが提案されている。
【０００５】
客室などの室内空間を幻想的に演出する技術として特許文献１には、以下の演出装置が記載されている。即ち、特許文献１の演出装置は、暗室内に配置された投影面と、前記投影面の前の光源の位置を位置情報として出力する位置検出手段と、前記位置情報に基づいた光源の位置から遠ざかるように、または近づくように移動する１以上の表示像を、前記投影面に投影する投影手段と、を備える。
【０００６】
また、客室に配置したスクリーンを設置して映像を投影する技術として、特許文献２には、複数のスクリーンに映像を投影する技術が記載されている。即ち、特許文献２には、少なくとも正面スクリーンと、その正面スクリーンの左右両辺に連続してそれぞれ配置された側面スクリーンと、前記正面スクリーンの下辺に連続して手前側に突出するようにして配置された下面スクリーンとを備え、前記両側面スクリーンは、前記正面スクリーンの配置面から手前側に向けて起き上がった角度であるスクリーン角度が鋭角になるように傾斜配置され、前記下面スクリーンは、前記正面スクリーンの配置面から手前側に向けて起き上がった角度であるスクリーン角度が鋭角になるように下方傾斜状態に配置されてなり、かつ、前記各スクリーンに対して、所定の映像を出力する出力手段を備える。
【０００７】
更に、特許文献３には、ドア自体にディスプレイ装置を配置する技術が記載されている。即ち、特許文献３には、ドアに装備するためのディスプレイ装置であって、ディスプレイ装置本体と、このディスプレイ装置本体を駆動させるためのディスプレイ駆動手段と、物体の接近又は離遠を検知するための検出手段と、この検出手段の検出信号に基ずき、ディスプレイに所望の文字、図形、数字又は記号等を表示させるために、前記検出憶号に対応する制御信号をディスプレイ駆動手段に対して送出するための制御手段とからなるディスプレイ装置が記載されている。
【特許文献１】特開２００８-２６４３２１号公報
【特許文献２】特開平１０−２３３９８２号公報
【特許文献３】特開平１−２４４４９２号公報
【発明の開示】
【発明が解決しようとする課題】
【０００８】
しかし、従来の技術では、客室内の設備を利用して、単に映像と音声を再生するだけであるので、効果的な演出を行うことができないという問題がある。また、従来の技術では、宿泊施設特有の事情を考慮されていない。即ち、宿泊者がフロントでチェックインしたとしても、この宿泊者がいつ客室に入室するかが予測できないことがある。このような場合、演出の開始タイミングを設定できず、効果的な演出ができない。このため、各文献に記載の技術をそのまま、宿泊施設に適用することはできない。
【０００９】
以上のように、特許文献１〜３に記載の技術を宿泊施設に適用したとしても、効果的な演出を行いたいという要望や、宿泊者が入室したタイミングで演出を開始するという要望には応えることができない。
【００１０】
本発明は上述した課題に鑑みてなされたものであり、宿泊者が入室したタイミングで、より効果的な入室演出を開始することができる宿泊施設の客室内における入室演出システムを提供することを目的とする。
【課題を解決するための手段】
【００１１】
前記課題を解決する請求項１に記載の発明は、宿泊施設の客室内における入室演出システムにおいて、受付フロントおよび客室を有する宿泊施設に設置され、宿泊者の入室を演出するための予め設定された入室演出映像を前記宿泊者に表示する宿泊施設の客室における入室演出システムであって、宿泊施設の受付フロントに配置され、入室演出システムを稼動状態とする受付スイッチと、前記客室への人の入室を検知する入室検知手段と、前記客室内に配置され、所定角度をなして隣接配置された２面の壁面に設定された２面の投影面と、前記投影面にそれぞれ前記入室演出映像を投影するプロジェクターと、前記プロジェクターに前記入室演出映像の映像信号を送出する映像出力装置と、前記客室の照明の照度を調整する調光装置と、前記受付スイッチ、前記入室検知手段、前記プロジェクター、前記映像出力装置、および前記調光装置に接続され、前記受付スイッチがオン状態にされた後であって、前記入室検知手段が入室を検知したとき、前記調光装置を制御して客室内の照明を調整することで客室内を所定の照度にすると共に、前記映像出力装置および前記プロジェクターを起動して、前記プロジェクターから前記投影面に前記入室演出映像を投影させる制御装置と、を備えることを特徴とする。
【００１２】
請求項１に記載の宿泊施設の客室内における入室演出システムによれば、制御装置の制御のもと、受付スイッチがオン状態にされた後であって、入室検知手段が入室を検知したとき、調光装置を制御して客室内の照明を調整することで客室内を所定の照度にすると共に、映像出力装置および前記プロジェクターを起動して、前記プロジェクターから２面の投影面に入室演出映像が投影される。このため、宿泊客がフロントでチェックインしてから入室に至るまでの時間にかかわらず、特別な処理をすることなく宿泊客が客室に入室したことをきっかけとして入室演出映像が上映される。また、入室演出映像は、隣接する２つの壁面の投影面に投影されるため、広く範囲に投影されるため、宿泊者に強い印象を与えることができる。
【００１３】
同じく請求項２に記載の発明は、請求項１に記載の宿泊施設の客室内における入室演出システムにおいて、前記入室検知手段の入室検知位置から視認可能な位置に配置された入口部スクリーンを備え、前記制御装置には、前記入口部スクリーンに入室演出映像を投影するプロジェクターを接続したことを特徴とする。
【００１４】
請求項２に記載の宿泊施設の客室内における入室演出システムによれば、入口部スクリーンに入室演出映像を、入室直後の宿泊者に提示できる。また、宿泊者の入室と同時に入口近くに配置された入口部スクリーンに入室演出映像が映写される宿泊者に大きな印象を与えることができる。この入口部スクリーンに投影する入室演出映像は、壁面の投影面に投影する入室演出映像と一体とした内容として、壁面の投影面に投影する入室演出映像と同時に投影できる他、入口部スクリーンへの入室演出映像を投影した後、壁面のスクリーンへの入室演出映像を投影することができる。
【００１５】
同じく請求項３に記載の発明は、請求項１または請求項２に記載の宿泊施設の客室内における入室演出システムにおいて、前記映像出力装置は、前記入室演出映像に伴う音声信号を出力し、前記客室には、前記音声信号に基づいて音声を出力するスピーカーを備えることを特徴とする。
【００１６】
請求項３に記載の宿泊施設の客室内における入室演出システムによれば、入室演出映像とともに、客室内に音楽、音声を出力することができる。この音声は、投影される、入室演出映像に適合し同期することにより、より演出効果を高めることができる。
【００１７】
請求項４に記載の発明は、請求項１から請求項３のいずれか一項に記載の宿泊施設の客室内における入室演出システムにおいて、前記制御装置は、前記入室検知手段の状態にかかわらず前記入室演出映像を投影する強制投影状態に設定可能であり、前記客室内には、前記制御装置に接続され、前記制御装置を前記強制投影状態とするリプレイスイッチを備えることを特徴とする。
【００１８】
請求項４に記載の宿泊施設の客室内における入室演出システムによれば、宿泊者は、リプレイスイッチを操作することにより入出検知手段の状態にかかわらずスクリーンに再び入室演出映像を投影することができる。
【００１９】
請求項５に記載の発明は、請求項１から請求項４のいずれか一項に記載の宿泊施設の客室内における入室演出システムにおいて、前記壁面にはスクリーン部材を配置して前記投影面を形成したことを特徴とする。
【００２０】
請求項５に記載の宿泊施設の客室内における入室演出システムによれば、壁面に別途スクリーンを配置する必要がなくなる他、入室演出映像を投影しない状態でも、壁面にスクリーンが配置されないため、宿泊者が違和感を覚えない。
【００２１】
請求項６に記載の発明は、請求項２に記載の宿泊施設の客室内における入室演出システムにおいて、前記入口部スクリーンはガラス板に、映像の非投影時に透明であり、投影時に投影された映像を表示可能なスクリーン部材を貼り付けて構成したことを特徴とする。
【００２２】
請求項６に記載の宿泊施設の客室内における入室演出システムによれば、入口部スクリーンに入室演出映像を投影しない状態では、入口部スクリーンを通して２つの壁面に投影された入室演出映像を視認することができる。また、入室演出映像を投影しない状態では、入口部スクリーンは透明で目立たないため、宿泊者に圧迫感を与えない。
【００２３】
請求項７に記載の発明は、請求項１から請求項６のいずれか一項に記載のである宿泊施設の客室内における入室演出システムにおいて、前記映像出力装置は、前記プロジェクターに投影対象の位置、形状に適合する映像信号を出力することを特徴とする。
【００２４】
請求項７に記載の宿泊施設の客室内における入室演出システムによれば、投影物に適合した映像が投影されるので、投影対象自体の形状を生かした映像をリアルに投影できる。これより、より魅力的な演出を行うことができる。
【発明の効果】
【００２５】
以上のように、本発明に係る宿泊施設の客室内における入室演出システムによれば、制御装置の制御のもと、受付スイッチがオン状態にされた後であって、入室検知手段が入室を検知したとき、調光装置を制御して客室内の照明を調整することで客室内を所定の照度にすると共に、映像出力装置および前記プロジェクターを起動して、前記プロジェクターから２面の投影面に入室演出映像が投影される。このため、宿泊客がフロントでチェックインしてから入室に至るまでの時間にかかわらず、特別な処理をすることなく宿泊客が客室に入室したことをきっかけとして入室演出映像が上映される。
【００２６】
入室演出映像の再生に際しての操作を自動的に行えることで、操作に必要な人員を削減できる。また、宿泊者が入室した直後から、入室演出映像を最初から再生できるため、宿泊者に入室演出映像に託した宿泊施設の意図をすべて提示できる。
【００２７】
また、所定の角度を有して隣接する壁を利用して入室演出映像を投影できるので、新たに投影面を設定する等の設備投資を必要とせず、既存の客室において、宿泊者を包み込む広い画面に入室演出映像を投影することができ、室内に居ながら宿泊者に広大な印象を与えることができる。
【図面の簡単な説明】
【００２８】
【図１】本発明の実施形態に係る宿泊施設の客室内における入室演出システムの構成を示すブロック図である。
【図２】同宿泊施設の客室内における入室演出システムが適用される客室に置ける装置の配置を示す平面図である。
【図３】同宿泊施設の客室内における入室演出システムの処理の流れを示すフローチャートである。
【図４】同宿泊施設の客室内における入室演出システムの映像演出の映像再生の流れを示すフローチャートである。
【図５】同宿泊施設の客室内における入室演出システムの処理のリプレイ時における流れを示すフローチャートである。
【図６】同宿泊施設の客室内における入室演出システムで投影される画像の一例を示す図である。
【図７】同宿泊施設の客室内における入室演出システムで投影される画像の一例を示す図である。
【図８】同宿泊施設の客室内における入室演出システムを適応した室内を示す図である。
【発明を実施するための最良の形態】
【００２９】
本発明を実施するための形態に係る宿泊施設の客室内における入室演出システムについて説明する。
【００３０】
まず、実施形態に係る宿泊施設の客室内における入室演出システムの設備について説明する。図１は本発明の実施形態に係る宿泊施設の客室内における入室演出システムの構成を示すブロック図である。
【００３１】
宿泊施設１００には、受付フロント３００と、客室４００とを備える。図１において、客室を１室しか表示していないが、客室は複数あってもよい。入室演出システム２００は、受付フロント３００に配置された受付スイッチ２１１と、客室４００に配置された入室検知手段である入室センサー２２１、制御装置２２２、映像出力装置２２３、本実施の形態では３台のプロジェクター（右壁用プロジェクター２２４Ｒ、左壁用プロジェクター２２４Ｌ、および入口プロジェクター２２４Ｅ）、スピーカー２２５、客室照明２２６、リプレイスイッチ２２７、照明スイッチ２２８、照明制御装置である照明フェーダーパネル２２９、照明調光装置２３０とを備えている。また、制御装置２２２には、演出シーンを設定するパーソナルコンピューター（ＰＣ）２１２が接続できる。
【００３２】
受付スイッチ２１１は、宿泊者が宿泊施設にチェックインしたとき、係員によってオン状態とされる。これにより、制御装置２２２は、客室４００に宿泊客の入室を検知したとき入室演出を開始する。
【００３３】
入室センサー２２１は、例えば赤外線を感知する人感センサーであり、客室４００に宿泊者が入室したことを検知する。制御装置２２２は、受付スイッチ２１１のオン信号で稼動状態となり、映像出力装置２２３の起動、再生開始、右壁用プロジェクター２２４Ｒ、左壁用プロジェクター２２４Ｌ、入口プロジェクター２２４Ｅの起動、投影開始、終了を制御する。また、照明スイッチ２２８、照明フェーダーパネル２２９の操作に基づいて照明調光装置２３０を制御して、客室照明２２６の調光制御を行う。
【００３４】
映像出力装置２２３は、制御装置２２２は、右壁用プロジェクター２２４Ｒ、左壁用プロジェクター２２４Ｌ、入口プロジェクター２２４Ｅ用の入室演出映像用の映像データ、およびスピーカー２２５で再生する音声データを格納して、映像信号および音声信号を送出する。
この入室演出映像、音声は、映像出力装置２２３内のメディア、例えばハードディスクドライブ、ＳＳＤ等の固定ディスク装置、ＳＤカード、ＵＳＢフラッシュメモリ、光ディスク等のリムーバブルディスクに格納されている。固定ディスク装置への入室演出映像、音声のデータの変更は、ＰＣ２１２を制御装置２２２に接続して行うことができる。必要に応じてリムーバブルディスクを交換して入室演出映像、音声のデータを変更することができる。
【００３５】
右壁用プロジェクター２２４Ｒ、左壁用プロジェクター２２４Ｌ、入口プロジェクター２２４Ｅは、映像出力装置２２３からの映像信号に基づいて映像を投影する。これらは、公知の液晶プロジェクターを使用することができる。スピーカー２２５は、映像出力装置２２３からの音声信号を出力する。
【００３６】
客室照明２２６は、客室４００の所定の位置に配置される。客室照明２２６を照明調光装置２３０で調光することで、右壁用プロジェクター２２４Ｒ、左壁用プロジェクター２２４Ｌ、入口プロジェクター２２４Ｅの投影画像を見えやすくする。また、照明調光装置２３０は通常の調光にも用いられる。
【００３７】
リプレイスイッチ２２７は、宿泊者によって操作されるものであり、一端終了した入室演出映像を、任意のタイミングで強制投影状態に設定可能であり、また投影されている入室演出映像を強制的に停止させることができる。制御装置２２２はリプレイスイッチ２２７の状態に基づいて映像出力装置２２３、および右壁用プロジェクター２２４Ｒ、左壁用プロジェクター２２４Ｌ、入口プロジェクター２２４Ｅを制御する。
【００３８】
照明調光装置２３０は、照明スイッチ２２８、照明フェーダーパネル２２９からの信号に基づいて制御装置２２２により制御される。制御装置２２２は、照明スイッチ２２８、照明フェーダーパネル２２９からの信号に基づく他、入室演出映像を投影するとき客室照明２２６の照度を下げたり、入室演出映像が終了したとき客室照明２２６の照度を上げたりするように構成されている。
【００３９】
以上のように、入室演出システム２００では、制御装置２２２は、映像出力装置２２３による右壁用プロジェクター２２４Ｒ、左壁用プロジェクター２２４Ｌ、入口プロジェクター２２４Ｅへの入室演出映像の投影を制御する他、客室照明２２６の照度を調整する。
【００４０】
次に、入室演出システム２００の客室４００への配置状態について説明する。
図２は同宿泊施設の客室内における入室演出システムが適用される客室に置ける装置の配置を示す平面図である。この例では、客室４００には、居室４１０、エントランスホール４２０、バスルーム４３０、洗面所４４０、トイレ４５０が配置されている。
居室４１０とエントランスホール４２０との間には、居室ドア４１４が配置され、この居室ドア４１４の近傍には、入室センサー２２１が設置されており、居室４１０への宿泊者の入室を感知する。なお、エントランスホール４２０には客室ドア４１５が配置されている。
【００４１】
そして、居室４１０には、ベッド４１１、ソファー４１２、テーブル４１３が配置されている。本実施形態では、居室４１０には、２面の壁即ち左壁４６０Ｌ、右壁４６０Ｒが所定角度θ（θ＜９０°）をなして隣接配置されている。この入室演出システム２００では、右壁４６０Ｒを右側投影面である右スクリーン２４０Ｒとして、右壁用プロジェクター２２４Ｒから入室演出映像を投影する。
また、左壁４６０Ｌを左側投影面である左スクリーン２４０Ｌとして、左壁用プロジェクター２２４Ｌから入室演出映像を投影する。右壁４６０Ｒおよび左壁４６０Ｌには、それぞれ右スクリーン２４０Ｒ、左スクリーン２４０Ｌとして機能するスクリーン部材としての壁紙を貼付してスクリーンが形成されている。
また、右壁４６０Ｒおよび左壁４６０Ｌに開設された窓４６１、４６２には、例えば開閉可能なスクリーンとなるロールスクリーンを配置して、壁面全体が連続したスクリーンとして機能するようにする。なお、右壁４６０Ｒおよび左壁４６０Ｌに専用のスクリーン装置を配置することもできる。
【００４２】
右壁用プロジェクター２２４Ｒおよび左壁用プロジェクター２２４Ｌは、天井から吊り下げて配置されている。右壁用プロジェクター２２４Ｒは、右スクリーン２４０Ｒの光軸位置、左壁用プロジェクター２２４Ｌは、左スクリーン２４０Ｌの光軸位置に配置される。なお、これらの右壁用プロジェクター２２４Ｒ、左壁用プロジェクター２２４Ｌは、装置の投影特性によりその位置を変更できる。
【００４３】
居室４１０において、ベッド４１１と、ソファー４１２の間には、入口部スクリーン２４０Ｅが配置されている。入口部スクリーン２４０Ｅは、宿泊者がエントランスホール４２０から居室ドア４１４を抜けて入室したときの入室検知位置から視認可能な状態で配置されている。
【００４４】
入口部スクリーン２４０Ｅは、２枚のガラス板（例えば厚さ１２ｍｍ）の間に透明状のスクリーンフィルムを挟んで構成されたスクリーン部材２４１を、複数例えば、７台配置して構成される。スクリーン部材２４１は、台座２４２に立設されて配置されている。
【００４５】
このスクリーン部材に配置されたスクリーンフィルムは、例えば三菱製紙株式会社製の「彩美ｓ（ＳａｉＶｉｓ）：登録商標」を使用できる。このスクリーンフィルは、映像の非投影時に透明であり、映像が投影された時に投影された映像を表示可能である。そして、スクリーンフィルムの両側から投影された映像を鑑賞できるものである。
【００４６】
また、この入口部スクリーン２４０Ｅに投影する入口プロジェクター２２４Ｅには、映像出力装置２２３から、いわゆる「３Ｄマッピング」技術により作成された映像信号を入力することができる。ここで「３Ｄマッピング」とは、「プロジェクションマッピング」とも称され、投影対象物の位置、大きさ、形状を考慮して、映像を作成する技術である。
入口プロジェクター２２４Ｅは、複数のスクリーン部材２４１が前後異なる位置に配置されているため、それぞれのスクリーン部材２４１に適合する映像を投影することができ、映像光がスクリーン部材２４１の外部に投影されることがない。これにより、入口部スクリーン２４０Ｅの形状を生かした映像を効果的に投影でき、より魅力的な演出を行うことができる。
【００４７】
このため、入口部スクリーン２４０Ｅに入室演出映像を投影した状態では、入口部スクリーン２４０Ｅの居室ドア４１４側およびベッド４１１のいずれ側からでも入室演出映像を鑑賞できる。また、この状態で、一方、入口部スクリーン２４０Ｅの居室ドア４１４側からは、入口部スクリーン２４０Ｅを透して右スクリーン２４０Ｒ、左スクリーン２４０Ｌに統制された映像を鑑賞できる。
一方、入口部スクリーン２４０Ｅに入室演出映像を投影しない状態では、入口部スクリーンを通して２つの壁面に投影された入室演出映像を視認することができる。さらに、入口部スクリーン２４０Ｅに入室演出映像を投影しない状態では、入口部スクリーン２４０Ｅは透明で目立たないため、宿泊者に圧迫感を与えない。
【００４８】
次に、入室演出システム２００において、入室演出映像を投影する流れについて説明する。図３は同宿泊施設の客室内における入室演出システムの処理の流れを示すフローチャートである。宿泊者を受付フロント３００で受け付ける（ＳＡ１）と、係員は、受付スイッチ２１１をオン状態とする（ＳＡ２）。これにより制御装置２２２は準備動作を行う（ＳＡ２）。この状態で、制御装置２２２は、照明調光装置２３０を全灯オン状態とし（ＳＡ３）、映像出力装置２２３をオン状態とし（ＳＡ４）、さらに右壁用プロジェクター２２４Ｒ、左壁用プロジェクター２２４Ｌ、入口プロジェクター２２４Ｅをオン状態とする（ＳＡ５）。この状態では、まだ入室演出映像は投影されない。
【００４９】
次いで、宿泊者が客室４００に到着して、客室ドア４１５からエントランスホール４２０に入り、更に居室ドア４１４を明けて居室４１０に入ると、入室センサー２２１が宿泊者を検出してオン状態となる（ＳＡ６）。これにより、制御装置２２２は、入室演出映像の再生操作を開始する（ＳＡ７）。
【００５０】
即ち、制御装置２２２は、照明調光装置２３０を調整して客室照明２２６を消灯し（ＳＡ８）、映像出力装置２２３により入室演出映像および音声を再生する（ＳＡ９）。この入室映像は、右壁用プロジェクター２２４Ｒ、左壁用プロジェクター２２４Ｌ、入口プロジェクター２２４Ｅで右スクリーン２４０Ｒ、左スクリーン２４０Ｌおよび入口部スクリーン２４０Ｅに投影される（ＳＡ１０）。同時にスピーカー２２５から音楽、音声が再生される。
【００５１】
宿泊者が、明るい部屋に入室すると、照明が落とされ、その後入室演出映像および音声を鑑賞することとなる。このため、宿泊者は室内の照明の変化と入室演出画像の投影により、大きな印象を同伴者とともに驚きを共有することができ、宿泊施設に歓待されていることを印象強く感じる。
【００５２】
所定の時間にわたる入室演出映像の再生が終了すると、制御装置２２２は終了動作に入る（ＳＡ１１）。即ち、制御装置２２２は、照明調光装置２３０を制御して客室照明２２６を全灯状態とし（ＳＡ１３）、その後の調整を照明フェーダーパネル２２９の操作にゆだね、映像出力装置２２３をオフ状態とし（ＳＡ１４）、右壁用プロジェクター２２４Ｒ、左壁用プロジェクター２２４Ｌ、入口プロジェクター２２４Ｅにブラック画像を投影し、５分後に自動電源オフとなるようにする（ＳＡ１５）。これにより、一連の入室演出映像の投影が終了する。
【００５３】
次に、入室演出映像の投影手順について説明する。
図４は同宿泊施設の客室内における入室演出システムの映像演出の映像再生の流れを示すフローチャートである。本実施形態に係る入室演出システム２００では、右スクリーン２４０Ｒ、左スクリーン２４０Ｌを一組とし、これに入口部スクリーン２４０Ｅを配置している。図４（ａ）に示すように、先ず入口部スクリーン２４０Ｅに投影を行ない（ＳＢ１）。これが終了してから（ＳＢ２のＹｅｓ）、右スクリーン２４０Ｒ、左スクリーン２４０Ｌに投影を行う（ＳＢ３、ＳＢ４）ことが効果的である。即ち、宿泊者は、まず、居室ドア４１４を出た箇所Ａ付近（図２参照）で、入口部スクリーン２４０Ｅへの投影画像を鑑賞する。
【００５４】
次いで、２４０Ｅへの投影が終了すると、直ぐに右スクリーン２４０Ｒ及び左スクリーン２４０Ｌへの投影がなされる。これにより、宿泊者は入口付近からベッド４１１の近くの箇所Ｂ（図２参照）に誘導されて右スクリーン２４０Ｒ、左スクリーン２４０Ｌに投影された映像を鑑賞する。このため、宿泊者に移動を促しつつ映像を鑑賞させることにより、より入室演出の効果を得ることができる。
【００５５】
なお、図４（ｂ）に示すように、入口部スクリーン２４０Ｅへの投影（ＳＢ１１）と同時に右スクリーン２４０Ｒ、左スクリーン２４０Ｌに投影を開始する（ＳＢ１２）ことができる。これらの選択は、入室演出映像の内容等に基づいて適宜選択できる。
【００５６】
次に、宿泊者がリプレイスイッチ２２７を操作してリプレイを行った場合について説明する。図５は同宿泊施設の客室内における入室演出システムの処理のリプレイ時における流れを示すフローチャートである。
宿泊者がリプレイスイッチ２２７をオン状態にする（ＳＣ１）と、制御装置２２２は準備動作を行う（ＳＣ２）。この状態で、制御装置２２２は、照明フェーダーパネル２２９での制御を終了して、照明調光装置２３０を制御して、客室照明２２６を徐々に暗くするフェードアウト状態にする（ＳＣ３）。
【００５７】
また、映像出力装置２２３をオン状態とし（ＳＣ４）、さらに右壁用プロジェクター２２４Ｒ、左壁用プロジェクター２２４Ｌ、入口プロジェクター２２４Ｅをオン状態とする（ＳＣ５）。このとき、右壁用プロジェクター２２４Ｒ、左壁用プロジェクター２２４Ｌ、入口プロジェクター２２４Ｅを１分間スタンバイ準備とする。このスタンバイ準備の間は投影ができない状態となる。
【００５８】
スタンバイ準備が終了すると、制御装置２２２は、入室演出映像の再生操作を開始する（ＳＣ６）。即ち、制御装置２２２は、照明調光装置２３０を調整して客室照明２２６を消灯し（ＳＣ７）、映像出力装置２２３により入室演出映像および音声を再生する（ＳＣ８）。
この入室映像は、図４で示したものと同じである。即ち、右壁用プロジェクター２２４Ｒ、左壁用プロジェクター２２４Ｌ、入口プロジェクター２２４Ｅで右スクリーン２４０Ｒ、左スクリーン２４０Ｌおよび入口部スクリーン２４０Ｅに投影される（ＳＣ９）。同時にスピーカー２２５から音楽、音声が再生される。これにより、宿泊者は、入室演出映像および音声を鑑賞することができる。
【００５９】
所定の時間にわたる入室演出映像の再生が終了する（ＳＣ１０のＹｅｓ）と、制御装置２２２は終了動作に入る（ＡＣ１０）。即ち、制御装置２２２は、照明調光装置２３０を制御して客室照明２２６を徐々に明るくするフェードイン状態とし（ＳＣ１２）、その後の調整を照明フェーダーパネル２２９の操作にゆだねる。
さらに、映像出力装置２２３をオフ状態とし（ＳＣ１３）、右壁用プロジェクター２２４Ｒ、左壁用プロジェクター２２４Ｌ、入口プロジェクター２２４Ｅにブラック画像を投影し、５分後に自動電源オフとなるようにする（ＳＡＢ１４）。これにより、リプレイによる入室演出映像の投影が終了する。
【００６０】
次に右スクリーン２４０Ｒ、左スクリーン２４０Ｌ、および入口部スクリーン２４０Ｅに投影される入室演出映像について説明する。図６は同宿泊施設の客室内における入室演出システムで投影される画像の一例を示す図、図７は同宿泊施設の客室内における入室演出システムで投影される画像の一例を示す図、図８は同宿泊施設の客室内における入室演出システムを適応した室内を示す図である。
【００６１】
図６（ａ）では、入室とともに客室照明２２６がフェードアウトし（図３のＳＡ８）、入口部スクリーン２４０Ｅに入室演出映像が映し出されている（図３のＳＡ８、１０、図４（ａ）のＳＢ１）。この状態で、入口部スクリーン２４０Ｅには、各スクリーン部材２４１に三日月等の幻想的な映像が投影されている。
【００６２】
この状態から図６（ｂ）に示すように、客室照明が消灯して客室内が暗くなると、入口部スクリーン２４０Ｅに投影された映像は明確に視認できるものとなる。これらの映像はいわゆる「３Ｄマッッピング」により作成されたものであり、入口部スクリーン２４０Ｅの各スクリーン部材２４１に位置的に適合した映像となっており、入口部スクリーン２４０Ｅの外には漏れ出ていない。
【００６３】
入口部スクリーン２４０Ｅへの投影が終了すると（図４のＳＢ２のＹｅｓ）、右スクリーン２４０Ｒ、左スクリーン２４０Ｌへの投影が始まる（図４のＳＢ３）。その後、図７（ａ）、（ｂ）に示すように、入口部スクリーン２４０Ｅを透して、右スクリーン２４０Ｒ、左スクリーン２４０Ｌに投影された映像が視認できる。図７（ａ）に示した例では、右スクリーン２４０Ｒ、左スクリーン２４０Ｌには、多数の階段状幾何学模様が投影されている。また、図８（ｂ）に示した例では、右スクリーン２４０Ｒ、左スクリーン２４０Ｌには、花の映像が投影されている。このとき、入口部スクリーン２４０Ｅは、ガラスに透明なスクリーンフィルムを貼り付けて構成されているので、右スクリーン２４０Ｒ、左スクリーン２４０Ｌに投影される映像を視認する障害にならない。
【００６４】
そして、右スクリーン２４０Ｒ、左スクリーン２４０Ｌへの投影が終了すると（図３のＳＡ１１、図４のＳＢ４）、図８に示すように客室照明２２６がフェードインされ入室演出は終了する。その後、宿泊者は、リプレイスイッチ２２７を操作することにより、これらの映像を所望の機会に鑑賞できる。
【００６５】
なお、客室内のスクリーンの数や配置箇所、大きさ、プロジェクターの数は上記例に限定されず、客室の形状、大きさ、壁面の状態等により適宜変更できる。また、入口部スクリーンの配置位置、大きさ、形状等も必要に応じて変更できる。さらに、入室演出映像の内容、各スクリーンへの投影タイミングも適宜変更できる。
【００６６】
以上のように、実施形態に係る宿泊施設の客室内における入室演出システムによれば、宿泊客がフロントでチェックインしてから入室に至るまでの時間にかかわらず、特別な処理をすることなく宿泊客が客室に入室したことをきっかけとして入室演出映像が上映される。このため、操作に必要が人員を削減できる。また、宿泊者が入室した直後から、入室演出映像を最初から再生できるため、宿泊者に入室演出映像に託した宿泊施設の意図をすべて提示できる。
【００６７】
また、所定の角度を有して隣接する壁を利用して入室演出映像を投影できるので、新たに投影面を設定する等の設備投資を必要とせず、既存の客室において、宿泊者を包み込む広い画面に入室演出映像を投影することができ、宿泊者に大きな印象を与えることができる。さらに、入口部スクリーンには、３Ｄマッピングにより映像を投影するので、入口部スクリーン２４０Ｅの形状を生かした映像を効果的に投影でき、より魅力的な演出を行うことができる。
【産業上の利用可能性】
【００６８】
以上のように、本発明に係る宿泊施設の客室内における入室演出システムは、ホテル、旅館等の宿泊施設において利用することができ、産業上の利用可能性を有する。
【符号の説明】
【００６９】
１００：宿泊施設
２００：入室演出システム
２１１：受付スイッチ
２１２：パーソナルコンピューター（ＰＣ）
２２１：入室センサー（入室検知手段）
２２２：制御装置
２２３：映像出力装置
２２４Ｅ：入口プロジェクター
２２４Ｌ：左壁用プロジェクター
２２４Ｒ：右壁用プロジェクター
２２５：スピーカー
２２６：客室照明
２２７：リプレイスイッチ
２２８：照明スイッチ
２２９：照明フェーダーパネル
２３０：照明調光装置
２４０Ｅ：入口部スクリーン
２４０Ｌ：左スクリーン
２４０Ｒ：右スクリーン
２４１：スクリーン部材
２４２：台座
３００：受付フロント
４００：客室
４１０：居室
４１１：ベッド
４１２：ソファー
４１３：テーブル
４１４：居室ドア
４１５：客室ドア
４２０：エントランスホール
４３０：バスルーム
４４０：洗面所
４５０：トイレ
４６０Ｌ：左壁
４６０Ｒ：右壁
【要約】      （修正有）【課題】宿泊者が入室したタイミングで、より効果的な入出演出を開始することが可能な入出演出システムの提供。【解決手段】受付フロント３００に受付スイッチ２１１を配置し、客室４００に入室センサー２２１、所定角度をなした右壁、左壁に右スクリーン、左スクリーンを設置する。また入室センサー２２１で検知された宿泊者が鑑賞できる位置に入口部を配置する。各スクリーンに入室演出映像を投影する右壁用プロジェクター２２４Ｒ、左壁用プロジェクター２２４Ｌ、入口プロジェクター２２４Ｅを備える。制御装置２２２は、受付スイッチ２１１がオン状態になった後、入室センサー２２１で宿泊者の入室を検出したとき各プロジェクタを駆動して各スクリーンに入室演出画像を投影する。【選択図】図１【図１】
0005901731.tif 000002
【図２】
0005901731.tif 000003
【図３】
0005901731.tif 000004
【図４】
0005901731.tif 000005
【図５】
0005901731.tif 000006
【図６】
0005901731.tif 000007
【図７】
0005901731.tif 000008
【図８】
0005901731.tif 000009